(57)【特許請求の範囲】
【請求項１】
側壁を有するシ−ルドケ−スと、該シ−ルドケ−ス内に収納されたプリント基板と、該プリント基板の上面に取り付けられ、前記側壁に近接して配置されたコネクタとを備え、前記側壁には、前記コネクタに対向して外部コネクタ用の挿入口を形成すると共に、該挿入口の下方に位置して第一の舌片を形成し、該第一の舌片を前記シ−ルドケ−ス内に折り曲げて、前記プリント基板の下面を保持したことを特徴とする高周波電子機器。
【請求項２】
前記側壁には、前記挿入口の下部縁を折り曲げ基部として略直角に折り曲げられた第二の舌片を形成したことを特徴とする請求項１に記載の高周波電子機器。
【請求項３】
前記第一の舌片は、折り曲げ基部において折り曲げられ、前記第二の舌片の前記折り曲げ基部と前記第一の舌片の前記折り曲げ基部とを同一線上に位置させたことを特徴とする請求項２記載の高周波電子機器。
【請求項４】
前記第一の舌片の幅よりも前記第二の舌片の幅を広くしたことを特徴とする請求項２または３に記載の高周波電子機器。
【請求項５】
前記プリント基板の下面に接地導体を設け、前記第一の舌片を前記接地導体に半田付けしたことを特徴とする請求項１乃至４のいずれかに記載の高周波電子機器。
【発明の詳細な説明】
【０００１】
【発明の属する技術分野】
本発明は、例えば、携帯電話機に組み込まれる送受信器等の高周波電子機器に関し、特に、アンテナ等の外部機器との接続のためのコネクタの取付部の強度を高めると共に外部コネクタとの接続をし易くした高周波電子機器に関する。
【０００２】
【従来の技術】
従来の高周波電子機器を図４に従って説明する。上下にそれぞれ開口を有する四角枠状のシ−ルドケ−ス３１内にはプリント基板３２が収納され、このプリント基板３２上にはコネクタ３３が搭載されるとともに送受信回路を構成する電子部品（図示せず）が搭載されている。プリント基板３２は、コネクタ３３等が搭載された上面とは反対の面（下面）が半田付け面となっている。シ−ルドケ−ス３１の側壁３１ａ、３１ｂ、３１ｃ、３１ｄのそれぞれのほぼ中央にはツメ片３１ｅ、３１ｆ、３１ｇ、３１ｈが形成されており、プリント基板３２がシ−ルドケ−ス３１内に収納されて状態でこれらのツメ片３１ｅ、３１ｆ、３１ｇ、３１ｈがプリント基板３２の半田付け面側に折り曲げられ、プリント基板３２がシ−ルドケ−ス３１に保持される。そして、ツメ片３１ｅ、３１ｆ、３１ｇ、３１ｈがプリント基板３２の半田付け面に形成された接地導体（図示せず）に半田付けされ、プリント基板３２がシ−ルドケ−ス３１に固定される。
【０００３】
コネクタ３３は複数の接続ピン３３ａ、３３ｂ、３３ｃを有し、これらの接続ピン３３ａ、３３ｂ、３３ｃはプリント基板３２の半田付け面を介して送受信回路と接続されている。また、このコネクタ３３は、シ−ルドケ−ス３１の二つの側壁３１ａ、３１ｄが隣接する角部近傍で、且つ、接続ピン３３ａ等が一方の側壁３１ａに対向した状態でプリント基板３２上に搭載されている。これによって、プリント基板３２上のスペ−スが有効に使用でき、送受信回路を構成する電子部品の配置（レイアウト）が容易になっている。接続ピン３３ａ、３３ｂ、３３ｃは横一列に設けられており、中央のピン３３ｂはプリント基板３２の半田付け面の接地導体（図示せず）に半田付けされ、両隣の接続ピン３３ａ、３３ｃはアンテナとの間の信号授受のために使用される。
一方、シ−ルドケ−ス３１の側壁３１ａには、コネクタに対向して挿入口３１ｉが形成されている。そして、外部機器、例えば、アンテナ（図示せず）に接続されたケ−ブル３４の先端に取り付けられた外部コネクタ３５が、挿入口３１ｉに挿入されるとともにコネクタ３３の接続ピン３３ａ、３３ｂ、３３ｃと接続されるようになっている。
【０００４】
そして、シ−ルドケ−ス３１の側壁３１ａ、３１ｂ、３１ｃ、３１ｄに上カバ−３６および下カバ−３７を嵌合して上下の開口を塞いで送受信回路をシ−ルドしている。
【０００５】
【発明が解決しようとする課題】
以上に説明した従来の高周波電子機器では、プリント基板３２は、側壁３１ａ、３１ｂ、３１ｃ、３１ｄのそれぞれのほぼ中央に形成されたツメ片３１ｅ、３１ｆ、３１ｇ、３１ｈによってシ−ルドケ−ス３１に固定されているが、コネクタ３３が搭載された位置ではシ−ルドケ−ス３１に固定されていなかった。そのため、外部コネクタ３５とコネクタ３３との挿入または抜去時に、コネクタ３３には上下方向の力が加わってプリント基板３２に反りが生じ、最悪の状態ではプリント基板３２が破損するという問題が生じていた。また、外部コネクタ３５を挿入口３１ｂを介してコネクタ３３と接続するときには、外部コネクタ３５の横方向あるいは縦方向の位置が定まらず、挿入口３１への挿入が困難であった。
【０００６】
そこで、本発明の高周波電子機器は、プリント基板３２に搭載したコネクタ３３に外部コネクタ３５を接続する際に、コネクタ３３に力が加わってもプリント基板３２に反りが生じないようにするとともに、プリント基板３２上のコネクタ３３と外部コネクタ３５との接続をし易くするものである。
【０００７】
【課題を解決するための手段】
上記課題を解決するため、本発明の高周波電子機器は、側壁を有するシ−ルドケ−スと、該シ−ルドケ−ス内に収納されたプリント基板と、該プリント基板の上面に取り付けられ、前記側壁に近接して配置されたコネクタとを備え、前記側壁には、前記コネクタに対向して外部コネクタ用の挿入口を形成すると共に、該挿入口の下方に位置して第一の舌片を形成し、該第一の舌片を前記シ−ルドケ−ス内に折り曲げて、前記プリント基板の下面を保持した。
【０００８】
また、本発明の高周波電子機器は、前記側壁には、前記挿入口の下部縁を折り曲げ基部として略直角に折り曲げられた第二の舌片を形成した。
【０００９】
また、本発明の高周波電子機器は、前記第一の舌片は、折り曲げ基部において折り曲げられ、前記第二の舌片の前記折り曲げ基部と前記第一の舌片の前記折り曲げ基部とを同一線上に位置させた。
【００１０】
また、本発明の高周波電子機器は、前記第一の舌片の幅よりも前記第二の舌片の幅を広くした。
【００１１】
また、本発明の高周波電子機器は、前記プリント基板の下面に接地導体を設け、前記第一の舌片を前記接地導体に半田付けした。
【００１２】
【発明の実施の形態】
本発明の高周波電子機器を図１乃至図３に従って説明する。先ず、図１は本発明の高周波電子機器の分解斜視図であり、上下にそれぞれ開口を有する四角枠状のシ−ルドケ−ス１内にはプリント基板２が収納され、このプリント基板２上面にはコネクタ３が搭載されて取り付けられるとともに送受信回路を構成する電子部品（図示せず）が搭載されている。プリント基板２は、コネクタ３等が搭載された上面とは反対の面（下面）が半田付け面となっている。シ−ルドケ−ス１の側壁１ａ、１ｂ、１ｃ、１ｄのそれぞれのほぼ中央にはツメ片１ｅ、１ｆ、１ｇ、１ｈが形成されており、プリント基板２がシ−ルドケ−ス１内に収納されて状態でこれらのツメ片１ｅ、１ｆ、１ｇ、１ｈがプリント基板２の半田付け面側に折り曲げられ、プリント基板２がシ−ルドケ−ス１に保持される。そして、ツメ片１ｅ、１ｆ、１ｇ、１ｈがプリント基板２の半田付け面に形成された接地導体（図示せず）に半田付けされ、プリント基板２がシ−ルドケ−ス１に固定される。
【００１３】
コネクタ３は複数の接続ピン３ａ、３ｂ、３ｃを有し、これらの接続ピン３ａ、３ｂ、３ｃはプリント基板２の半田付け面を介して送受信回路と接続されている。また、このコネクタ３は、シ−ルドケ−ス１の二つの側壁１ａ、１ｄが隣接する角部近傍で、且つ、接続ピン３ａ等が一方の側壁１ａに対向且つ近接した状態でプリント基板２上に搭載されている。これによって、プリント基板２上のスペ−スが有効に使用でき、送受信回路を構成する電子部品の配置（レイアウト）が容易になっている。接続ピン３ａ、３ｂ、３ｃは横一列に設けられており、中央のピン３ｂはプリント基板２の半田付け面の接地導体（図示せず）に半田付けされ、両隣の接続ピン３ａ、３ｃはアンテナとの間の信号授受のために使用される。
【００１４】
一方、シ−ルドケ−ス１の側壁１ａには、コネクタ３の搭載位置に対応して、側壁１ａの下端面側および上端面側がそれぞれ先端となる第一の舌片４および第二の舌片５が対向して形成されている。この場合、第二の舌片５は丁度コネクタ３と対向するようになっており、第一の舌片４は第一の舌片の下方に位置する。第一の舌片４はプリント基板２の半田付け面（下面）側でシ−ルドケ−ス１の内方に折り曲げられてプリント基板２の下面を保持する。従って、第一の舌片４は、コネクタ３が搭載された位置において半田付け面側への力に対してプリント基板を保持する。また、この第一の舌片４をプリント基板２の半田付け面に設けた接地導体（図示せず）に半田付けすることによってプリント基板２はシ−ルドケ−ス１の側壁１ａに強固に固定される。また、第二の舌片５が側壁１ａの平面と直角となるようにシ−ルドケ−ス１の外方に折り曲げられることによってコネクタ３に対向して側壁１ａには挿入口１ｉが形成されるようになっている。従って、第一の舌片４は挿入口１ｉの下方に位置して設けられている。
以上のような構成において、外部機器、例えば、アンテナ（図示せず）に接続されたケ−ブル６の先端に取り付けられた外部コネクタ７が、挿入口３１ｉに挿入されるとともにコネクタ３の接続ピン３ａ、３ｂ、３ｃと接続されるようになっている。
【００１５】
図２は、第一の舌片４と第二の舌片５とを側壁１ａに形成する場合の説明図であり、第一の舌片４と第二の舌片５とは、それぞれの幅の中心が同じとなる位置に形成され、第一の舌片４の幅は第二の舌片５の幅よりも狭く成っている。
また、第一の舌片４が折り曲げられる折り曲げ基部４ａと第二の舌片５が折り曲げられる折り曲げ基部５ａとがほぼ同一線上に位置するようになっている。
そして、第一の舌片４と第二の舌片５とをそれぞれ折り曲げることによって側壁１ａには、プリント基板２の半田付け面側には開口１ｊが形成されるとともにコネクタ３に対向して挿入口１ｉが形成される。この挿入口１ｉの幅と高さとはコネクタ３のそれらに対して若干大きめに設定される。
【００１６】
そして、第一の舌片４と第二の舌片５とが、それらの折り曲げ基部４ａ、５ａがほぼ同一線上に位置するように設けられていても、第二の舌片５の幅が第一の舌片４の幅よりも広いので、側壁１ａは開口１ｊと挿入口１ｉとによって分断されることなく側壁１ａの強度が保たれ、しかも、第一の舌片４と第二の舌片５とをほぼプリント基板３の板厚の高の違いで折り曲げることができる。また、第一の舌片４の折り曲げ基部４ａと第二の舌片５の折り曲げ基部５ａとが同一線上に位置するように設けるので、側壁１ａの幅（上下方向の幅）が狭くても第一の舌片４と第二の舌片５とを同じ位置で対向して設けられる。
【００１７】
図３は第一の舌片４と第二の舌片５とを折り曲げた状態の要部断面図を示し、第一の舌片４はプリント基板２の半田付け面側に折り曲げられ、接地導体（図示せず）と半田８で接続される。この半田付け部分にはコネクタ３の接続ピン３ｂも共に半田付けされる。そのため、接続ピン３ｂは最短距離でシ−ルドケ−ス１の側壁１ａに電気的に接続されるので、アンテナ（図示せず）との信号の授受におけるコネクタ３での信号のレベルやインピ−ダンスが安定する。また、第二の舌片５もシ−ルドケ−ス１の外方に略直角に折り曲げられる。従って第二の舌片５は、折り曲げ基部５ａが挿入口１ｉの下端となって挿入口１ｉの周縁から外方に突出するようになっている。そして、第二の舌片５が折り曲げられた状態では、その高さは第一の舌片４の高さよりも高くなってプリント基板２とほぼ同じとなる。
この結果、外部コネクタ７を挿入口１ｉを介してコネクタ３に接続する場合には、外部コネクタ７を第二の舌片５上に置いて、この第二の舌片５をガイドとしてスライドしながら挿入口１ｉに挿入できるので、外部コネクタ７とコネクタ３との接続作業がし易くなる。
【００１８】
そして、シ−ルドケ−ス１の側壁１ａ、１ｂ、１ｃ、１ｄに上カバ−９および下カバ−１０を嵌合して上下の開口を塞いで送受信回路をシ−ルドしている。
【００１９】
【発明の効果】
以上のように、本発明の高周波電子機器は、側壁を有するシ−ルドケ−スと、シ−ルドケ−ス内に収納されたプリント基板と、プリント基板の上面に取り付けられ、側壁に近接して配置されたコネクタとを備え、側壁には、コネクタに対向して外部コネクタ用の挿入口を形成すると共に、挿入口の下方に位置して第一の舌片を形成し、第一の舌片をシ−ルドケ−ス内に折り曲げて、プリント基板の下面を保持したので、プリント基板は、コネクタが搭載された位置において半田付け面側への力に対して強度が増して外部コネクタの挿入、抜去に対して破損することがない。
【００２０】
また、本発明の高周波電子機器は、側壁には、挿入口の下部縁を折り曲げ基部として略直角に折り曲げられた第二の舌片を形成したので、外部コネクタを挿入口を介してプリント基板上のコネクタに接続する場合には、外部コネクタを第二の舌片上に置いて、この第二の舌片をガイドとしてスライドしながら挿入口に挿入できるので、外部コネクタとプリント基板上のコネクタとの接続作業がし易くなる。
【００２１】
また、本発明の高周波電子機器は、第一の舌片は、折り曲げ基部において折り曲げられ、第二の舌片の折り曲げ基部と第一の舌片の前記折り曲げ基部とを同一線上に位置させたので、側壁の幅（上下方向の幅）が狭くても第一の舌片と第二の舌片とを同じ位置で対向して設けられる。しかも、第一の舌片と第二の舌片とをほぼプリント基板の板厚の高の違いで折り曲げることができるので、プリント基板の上面とと第二の舌片の上面とがほぼ同じ高さとなり外部コネクタは一層挿入しやすい。
【００２２】
また、本発明の高周波電子機器は、第一の舌片の幅よりも第二の舌片の幅を広くしたので、側壁は第一の舌片によって形成される開口と第二の舌片によって形成される挿入口とによって分断されることなく側壁の強度が保たれる。
【００２３】
また、本発明の高周波電子機器は、プリント基板の下面に接地導体を設け、第一の舌片を接地導体に半田付けしたので、プリント基板は側壁に一層強固に固定される。
【図面の簡単な説明】
【図１】本発明の高周波電子機器の分解斜視図である。
【図２】本発明の高周波電子機器における第一の舌片と第二の舌片とを形成するための説明図である。
【図３】本発明の高周波電子機器における第一の舌片と第二の舌片とを折り曲げた状態の要部断面図である。
【図４】従来の高周波電子機器の分解斜視図である。
【符号の説明】
１  シ−ルドケ−ス
１ａ、１ｂ、１ｃ、１ｄ  側壁
１ｅ、１ｆ、１ｇ、１ｈ  ツメ片
１ｉ  挿入口
１ｊ  開口
２  プリント基板
３  コネクタ
３ａ、３ｂ、３ｃ  接続ピン
４  第一の舌片
４ａ  折り曲げ基部
５  第二の舌片
５ａ  折り曲げ基部
６  ケ−ブル
７  外部コネクタ
８  半田
９  上カバ−
１０  下カバ−
【図１】
0003732645.tif 000002
【図２】
0003732645.tif 000003
【図３】
0003732645.tif 000004
【図４】
0003732645.tif 000005